【手続補正書】
【提出日】平成16年5月20日(2004.5.20)
【手続補正１】
【補正対象書類名】明細書
【補正対象項目名】発明の名称
【補正方法】変更
【補正の内容】
【発明の名称】コード読み取り装置及びそのカード
【手続補正２】
【補正対象書類名】明細書
【補正対象項目名】特許請求の範囲
【補正方法】変更
【補正の内容】
【特許請求の範囲】
【請求項１】
他のカードとともに束ねて装着され、カード束から読み取ったデータに基づきゲームを行なうカードゲーム装置に使用されるカードであって、
前記ゲーム装置は、束ねて装着されたカード束の側面の少なくともコードが設けられた部分を撮影してカード束側面の画像を生成し、該画像の各カードの厚さに対応するパターンからコードを認識するように構成されたコード読み取り部を有しており、
前記カードにはカードの少なくとも一側面において、束ねて前記コード読み取り部に装着されたとき該コード読み取り部によって撮影生成されるカード束側面画像に含まれる位置に、ゲーム用データが記録されたコードが設けられたことを特徴とするカード。
【請求項２】
請求項１記載のカードにおいて、
前記ゲーム装置はさらに、前記カード束の側縁部に光を照射する光照射手段を有し、
前記コードのそれぞれは、前記光照射手段から照射された光を受光したとき発光する材料で印刷されていることを特徴とするカード。
【請求項３】
請求項１または２記載のカードにおいて、
前記コードはそれぞれ、側面の中央部にあるいは側面の一方の縁に沿って、カード厚さ方向において部分的に配置されるように設けられていることを特徴とするカード。
【請求項４】
請求項１または２記載のカードにおいて、
１枚のカードの２側面に互いに異なるコードを設けたことを特徴とするカード。
【請求項５】
請求項１または２記載のカードにおいて、
前記コードは、短辺側または長辺側の両側面に記録されていることを特徴とするカード。
【請求項６】
請求項１または２記載のカードにおいて、
前記コードは、表向きに束ねられたときと裏向きに束ねられたときとで異なるコードとして読み取られるように設けられており、前記コード読み取り部によってカードが表向きであるか、裏向きであるかが検出可能に構成したことを特徴とするカード。
【請求項７】
請求項１または２記載のカードにおいて、
前記カードの種類に応じて符号化のデータピッチが異なることを特徴とするカード。
【請求項８】
請求項１または２記載のカードにおいて、
前記コードは蓄光材料で記録されていることを特徴とするカード。
【請求項９】
請求項１または２記載のカードにおいて、
前記コードは、左右の領域の輝度の差で２値を表すデータビットと、中央に設けられ左右の領域の輝度の差で表裏を表す表裏判定ビットと、両端に設けられコード開始位置を表す端部ビット、のうち少なくとも１つを有することを特徴とするカード。
【請求項１０】
請求項９記載のカードにおいて、
前記データビット、前記表裏判定ビット、及び前記端部ビットをそれぞれ互いに同一の所定幅で構成したことを特徴とするカード。
【請求項１１】
請求項１または２記載のカードにおいて、
前記コードが記録されている側面に接する表面と裏面の少なくとも一方の周縁部分に特定色が印刷されていることを特徴とするカード。
【請求項１２】
請求項１または２記載のカードにおいて、
前記コードにはカード特定用のデータが記録されていることを特徴とするカード。
【請求項１３】
請求項１または２記載のカードにおいて、
前記コードは、可視光下で無色の蛍光材料で記録されることを特徴とするカード。
【請求項１４】
請求項１または２記載のカードにおいて、
前記コードは、光の照射により異なる色で発光する複数の蛍光材料で記録されることを特徴とするカード。
【請求項１５】
請求項１または２記載のカードにおいて、
前記コードは、光の照射により赤外光を放射する蛍光材料で記録されることを特徴とするカード。
【請求項１６】
請求項１または２記載のカードにおいて、
前記コードは、光の照射により青色より長い波長で発光する蛍光材料で記録されることを特徴とするカード。
【請求項１７】
請求項１または２記載のカードにおいて、
前記コードは、ガイドビットを含むことを特徴とするカード。
【請求項１８】
複数枚のカードを束ねて装着するカード束装着部と、前記カード束の側面を撮像するように配置された撮影部と、コード認識部とを有し、
前記カードのそれぞれの側面にはコードが設けられており、
前記撮影部は、前記複数枚のカードの前記コードが設けられた側面が同じ側に露出するように束ねて前記装着部に装着されているとき、前記カード束の側面の少なくともコードが設けられた部分を撮影してカード束側面の画像を生成し、
前記コード認識部は、前記撮影部で得られた前記カード束側面の画像から各カードに設けられた前記コードを検出するように構成されてなることを特徴とするコード読み取り装置。
【請求項１９】
請求項１８記載のコード読み取り装置において、
前記コード認識部は、前記カード束側面の画像からカード厚さに対応するパターンを順次切り出し、切り出されたパターンからコードを認識するように構成されてなることを特徴とするコード読み取り装置。
【請求項２０】
請求項１８または１９記載のコード読み取り装置において、
前記カード束装着部は、カード束挿入口と、前記カード束挿入口から挿入された前記複数枚のカードを揃えて束ねた状態で保持するカード保持機構とを有することを特徴とするコード読み取り装置。
【請求項２１】
請求項２０記載のコード読み取り装置において、
前記カード保持機構は、前記カード束のコードを設けた側面に対向して配置される撮影部に対し、外来光を遮断するよう配置されることを特徴とするコード読み取り装置。
【請求項２２】
請求項２０または２１記載のコード読み取り装置は、さらに、前記カード保持機構に装着され、前記カード束を収納するカードケースを有し、
該カードケースは、収納された前記カード束の前記コードが設けられた部分が接触しないように設けられる溝部と、前記カード束の前記コードが設けられた部分に対応する位置に設けられた窓のうち、少なくとも一方を有することを特徴とするコード読み取り装置。
【請求項２３】
請求項２０または２１記載のコード読み取り装置は、さらに、前記カード保持機構に装着され、前記カード束を収納するカードケースを有し、
該カードケースは、収納されたカード束をカードの束ね方向に押圧するばね部材を有することを特徴とするカード束読み取り装置。
【請求項２４】
請求項２０または２１記載のコード読み取り装置は、さらに、前記カード保持機構に装着され、前記カード束を収納するカードケースを有し、
該カードケースは、前記収納されたカード束をカードの束ね方向に押圧するばね部材を設けたケース本体部と、前記ケース本体部に収納されたカード束の外部に出ている部分を収納して前記ケース本体部に一体化する蓋部とを有することを特徴とするコード読み取り装置。
【請求項２５】
請求項２０または２１記載のコード読み取り装置は、さらに、前記カード保持機構に装着され、前記カード束を収納するカードケースを有し、
該カードケースは、前記カード束の前記側面を平らに揃えるストッパを有することを特徴とするコード束読み取り装置。
【請求項２６】
請求項１８または１９記載のコード読み取り装置において、
前記撮影部は、前記カード束側面に光を照射する手段と、前記カード束側面を撮影するイメージセンサ手段とを有することを特徴とするコード束読み取り装置。
【請求項２７】
請求項２６記載のコード読み取り装置において、
前記光照射手段の照射する光の光軸と、前記撮影部の光軸とを、一致させるダイクロイック・ミラーを有することを特徴とするコード読み取り装置。
【請求項２８】
請求項２６記載のコード読み取り装置において、
前記コードは可視光下において無色で、前記光照射手段から励起光が照射されたとき発光するインクで印刷されていることを特徴とするコード読み取り装置。
【請求項２９】
請求項２８記載のコード読み取り装置において、
前記撮影部の前面に、励起光を遮断する第１フィルタと青色光を遮断する第２フィルタのうち少なくとも１つを設けたことを特徴とするコード読み取り装置。
【請求項３０】
請求項２６記載のカード束読み取り装置において、
前記コードは蓄光材料で記録されており、
前記光照射手段は、前記カード束の側面に閃光を照射する閃光照射手段を有しており、
閃光が照射されたとき前記蓄光材料で記録されたコードに蓄光させるように構成したことを特徴とするコード読み取り装置。
【請求項３１】
請求項３０記載のコード読み取り装置において、
前記撮影部は、前記カード束の側面に閃光を照射した後、時間差を付けて複数回の撮影を行い、複数の画像を生成するよう構成したことを特徴とするコード読み取り装置。
【請求項３２】
請求項３１記載のカード束読み取り装置は、さらに、前記複数回の撮影による前記複数の画像を比較する画像比較手段を有することを特徴とするコード読み取り装置。
【手続補正３】
【補正対象書類名】明細書
【補正対象項目名】０００１
【補正方法】変更
【補正の内容】
【０００１】
【発明の属する技術分野】
本発明はコード読み取り装置及びそのカードに係り、複数枚のカードが重ねられたカード束のコードを読み取るコード読み取り装置及びそのカードに関する。
【手続補正４】
【補正対象書類名】明細書
【補正対象項目名】０００７
【補正方法】変更
【補正の内容】
【０００７】
本発明は、上記の点に鑑みなされたもので、カード束のままで読み取りが可能でカードの傷みや汚れを生じるおそれがなく、読み取り時間が短いコード読み取り装置及びそのカードを提供することを目的とする。
【手続補正５】
【補正対象書類名】明細書
【補正対象項目名】０００８
【補正方法】変更
【補正の内容】
【０００８】
【課題を解決するための手段】
請求項１に記載の発明は、他のカードとともに束ねて装着され、カード束から読み取ったデータに基づきゲームを行なうカードゲーム装置に使用されるカードであって、
前記ゲーム装置は、束ねて装着されたカード束の側面の少なくともコードが設けられた部分を撮影してカード束側面の画像を生成し、該画像の各カードの厚さに対応するパターンからコードを認識するように構成されたコード読み取り部を有しており、
前記カードにはカードの少なくとも一側面において、束ねて前記コード読み取り部に装着されたとき該コード読み取り部によって撮影生成されるカード束側面画像に含まれる位置に、ゲーム用データが記録されたコードが設けられる。
【手続補正６】
【補正対象書類名】明細書
【補正対象項目名】０００９
【補正方法】変更
【補正の内容】
【０００９】
このように、ゲーム装置はコード読み取り部を有し、カードにはゲーム用データが記録されたコードが設けられているため、ゲーム装置でカードのゲーム用データを読み取ることができる。
【手続補正７】
【補正対象書類名】明細書
【補正対象項目名】００１０
【補正方法】変更
【補正の内容】
【００１０】
請求項２に記載の発明は、請求項１記載のカードにおいて、
前記ゲーム装置はさらに、前記カード束の側縁部に光を照射する光照射手段を有し、
前記コードのそれぞれは、前記光照射手段から照射された光を受光したとき発光する材料で印刷されている。
【手続補正８】
【補正対象書類名】明細書
【補正対象項目名】００１１
【補正方法】変更
【補正の内容】
【００１１】
このように、コードは、照射された光を受光したとき発光する材料で印刷されているため、照明を行う期間と撮像を行う期間とが重ならないようにすることができる。
【手続補正９】
【補正対象書類名】明細書
【補正対象項目名】００１２
【補正方法】変更
【補正の内容】
【００１２】
請求項３に記載の発明は、請求項１または２記載のカードにおいて、
前記コードはそれぞれ、側面の中央部にあるいは側面の一方の縁に沿って、カード厚さ方向において部分的に配置されるように設けられている。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
請求項４に記載の発明は、請求項１または２記載のカードにおいて、
１枚のカードの２側面に互いに異なるコードを設けた。
【手続補正１２】
【補正対象書類名】明細書
【補正対象項目名】００１５
【補正方法】変更
【補正の内容】
【００１５】
このように、１枚のカードの２側面に互いに異なるコードを設けることにより、１枚のカードに複数の機能を持たせることが可能となる。
【手続補正１３】
【補正対象書類名】明細書
【補正対象項目名】００１６
【補正方法】変更
【補正の内容】
【００１６】
請求項５に記載の発明は、請求項１または２記載のカードにおいて、
前記コードは、短辺側または長辺側の両側面に記録されている。
【手続補正１４】
【補正対象書類名】明細書
【補正対象項目名】００１７
【補正方法】変更
【補正の内容】
【００１７】
このように、コードは、短辺側または長辺側の両側面に記録されていることにより、カードの向きによらずコードを認識することができる。
【手続補正１５】
【補正対象書類名】明細書
【補正対象項目名】００１８
【補正方法】変更
【補正の内容】
【００１８】
請求項６に記載の発明は、請求項１または２記載のカードにおいて、
前記コードは、表向きに束ねられたときと裏向きに束ねられたときとで異なるコードとして読み取られるように設けられており、前記コード読み取り部によってカードが表向きであるか、裏向きであるかが検出可能に構成した。
【手続補正１６】
【補正対象書類名】明細書
【補正対象項目名】００１９
【補正方法】変更
【補正の内容】
【００１９】
このように、コードは、表向きに束ねられたときと裏向きに束ねられたときとで異なるコードとして読み取られるように設けられているため、コード読み取り部によってカードが表向きであるか、裏向きであるかが検出可能となる。
【手続補正１７】
【補正対象書類名】明細書
【補正対象項目名】００２０
【補正方法】変更
【補正の内容】
【００２０】
請求項７に記載の発明は、請求項１または２記載のカードにおいて、
前記カードの種類に応じて符号化のデータピッチが異なる。
【手続補正１８】
【補正対象書類名】明細書
【補正対象項目名】００２１
【補正方法】変更
【補正の内容】
【００２１】
このように、カードの種類に応じて符号化のデータピッチが異なるため、カードの種類に応じて符号化のデータピッチが異なるため、特定のカードのコードの偽造を防止できる。
【手続補正１９】
【補正対象書類名】明細書
【補正対象項目名】００２２
【補正方法】変更
【補正の内容】
【００２２】
請求項８に記載の発明は、請求項１または２記載のカードにおいて、
前記コードは蓄光材料で記録されている。
【手続補正２０】
【補正対象書類名】明細書
【補正対象項目名】００２３
【補正方法】変更
【補正の内容】
【００２３】
このように、コードは蓄光材料で記録されているため、照明を行う期間と撮像を行う期間とが重ならないようにすることができる。
【手続補正２１】
【補正対象書類名】明細書
【補正対象項目名】００２４
【補正方法】変更
【補正の内容】
【００２４】
請求項９に記載の発明は、請求項１または２記載のカードにおいて、
前記コードは、左右の領域の輝度の差で２値を表すデータビットと、中央に設けられ左右の領域の輝度の差で表裏を表す表裏判定ビットと、両端に設けられコード開始位置を表す端部ビット、のうち少なくとも１つを有する。
【手続補正２２】
【補正対象書類名】明細書
【補正対象項目名】００２５
【補正方法】変更
【補正の内容】
【００２５】
このように、データビットは左右の領域の輝度の差で２値を表すため、誤認識を行う確率を低減でき、また、表裏判定ビットの左右の領域の輝度の差でカードの表裏を判定することができる。
【手続補正２３】
【補正対象書類名】明細書
【補正対象項目名】００２６
【補正方法】変更
【補正の内容】
【００２６】
請求項１０に記載の発明は、請求項９記載のカードにおいて、
前記データビット、前記表裏判定ビット、及び前記端部ビットをそれぞれ互いに同一の所定幅で構成した。
【手続補正２４】
【補正対象書類名】明細書
【補正対象項目名】００２７
【補正方法】変更
【補正の内容】
【００２７】
このように、データビット、表裏判定ビット、端部ビットそれぞれを互いに同一の所定幅で構成することにより、読み取り時に各ビットの幅を補正して正確な読み取りを行うことができる。
【手続補正２５】
【補正対象書類名】明細書
【補正対象項目名】００２８
【補正方法】変更
【補正の内容】
【００２８】
請求項１１に記載の発明は、請求項１または２記載のカードにおいて、
前記コードが記録されている側面に接する表面と裏面の少なくとも一方の周縁部分に特定色が印刷されている。
【手続補正２６】
【補正対象書類名】明細書
【補正対象項目名】００２９
【補正方法】変更
【補正の内容】
【００２９】
このように、コードが記録されている側面に接する表面と裏面の少なくとも一方の周縁部分に特定色が印刷されているため、特定色が重ねられたカードを分離する境界層となり、読み取りの際のカード間の分離が向上する。
【手続補正２７】
【補正対象書類名】明細書
【補正対象項目名】００３０
【補正方法】変更
【補正の内容】
【００３０】
請求項１２に記載の発明は、請求項１または２記載のカードにおいて、
前記コードにはカード特定用のデータが記録されている。
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】変更
【補正の内容】
【００３２】
請求項１３に記載の発明は、請求項１または２記載のカードにおいて、
前記コードは、可視光下で無色の蛍光材料で記録される。
【手続補正３０】
【補正対象書類名】明細書
【補正対象項目名】００３３
【補正方法】変更
【補正の内容】
【００３３】
このように、コードは、可視光下で無色であるため、コードの見分けが難しく、コードの偽造を防止することができる。
【手続補正３１】
【補正対象書類名】明細書
【補正対象項目名】００３４
【補正方法】変更
【補正の内容】
【００３４】
請求項１４に記載の発明は、請求項１または２記載のカードにおいて、
前記コードは、光の照射により異なる色で発光する複数の蛍光材料で記録される。
【手続補正３２】
【補正対象書類名】明細書
【補正対象項目名】００３５
【補正方法】変更
【補正の内容】
【００３５】
このように、異なる色で発光する複数の蛍光材料を用いることにより、コードを構成する各ビットを多値化することができる。
【手続補正３３】
【補正対象書類名】明細書
【補正対象項目名】００３６
【補正方法】変更
【補正の内容】
【００３６】
請求項１５に記載の発明は、請求項１または２記載のカードにおいて、
前記コードは、光の照射により赤外光を放射する蛍光材料で記録される。
【手続補正３４】
【補正対象書類名】明細書
【補正対象項目名】００３７
【補正方法】変更
【補正の内容】
【００３７】
このように、コードは光の照射により赤外光を放射するため、コードの見分けが難しく、コードの偽造を防止することができる。
【手続補正３５】
【補正対象書類名】明細書
【補正対象項目名】００３８
【補正方法】変更
【補正の内容】
【００３８】
請求項１６に記載の発明は、請求項１または２記載のカードにおいて、
前記コードは、光の照射により青色より長い波長で発光する蛍光材料で記録される。
【手続補正３６】
【補正対象書類名】明細書
【補正対象項目名】００３９
【補正方法】変更
【補正の内容】
【００３９】
このように、コードは光の照射により青色より長い波長で発光するため、第１，第２フィルタを用いて反射励起光や青色光の影響を受けないようにすることができる。
【手続補正３７】
【補正対象書類名】明細書
【補正対象項目名】００４０
【補正方法】変更
【補正の内容】
【００４０】
請求項１７に記載の発明は、請求項１または２記載のカードにおいて、
前記コードは、ガイドビットを含む。
【手続補正３８】
【補正対象書類名】明細書
【補正対象項目名】００４１
【補正方法】変更
【補正の内容】
【００４１】
このように、コードはガイドビットを含むため、カード毎にコードの位置決めを行うことができる。
【手続補正３９】
【補正対象書類名】明細書
【補正対象項目名】００４２
【補正方法】変更
【補正の内容】
【００４２】
請求項１８に記載の発明は、複数枚のカードを束ねて装着するカード束装着部と、前記カード束の側面を撮像するように配置された撮影部と、コード認識部とを有し、
前記カードのそれぞれの側面にはコードが設けられており、
前記撮影部は、前記複数枚のカードの前記コードが設けられた側面が同じ側に露出するように束ねて前記装着部に装着されているとき、前記カード束の側面の少なくともコードが設けられた部分を撮影してカード束側面の画像を生成し、
前記コード認識部は、前記撮影部で得られた前記カード束側面の画像から各カードに設けられた前記コードを検出するように構成されてなる。
【手続補正４０】
【補正対象書類名】明細書
【補正対象項目名】００４３
【補正方法】変更
【補正の内容】
【００４３】
このように、カードのそれぞれの側面にはコードが設けられ、これを撮影した画像からカード毎のコードを認識するため、カード束のままで読み取りが可能となる。
【手続補正４１】
【補正対象書類名】明細書
【補正対象項目名】００４４
【補正方法】変更
【補正の内容】
【００４４】
請求項１９に記載の発明は、請求項１８記載のコード読み取り装置において、
前記コード認識部は、前記カード束側面の画像からカード厚さに対応するパターンを順次切り出し、切り出されたパターンからコードを認識するように構成されてなる。
【手続補正４２】
【補正対象書類名】明細書
【補正対象項目名】００４５
【補正方法】変更
【補正の内容】
【００４５】
このように、カード束側面の画像からカード厚さに対応するパターンを順次切り出すことにより、カード毎のコードを認識することが可能となる。
【手続補正４３】
【補正対象書類名】明細書
【補正対象項目名】００４６
【補正方法】変更
【補正の内容】
【００４６】
請求項２０に記載の発明は、請求項１８または１９記載のコード読み取り装置において、
前記カード束装着部は、カード束挿入口と、前記カード束挿入口から挿入された前記複数枚のカードを揃えて束ねた状態で保持するカード保持機構とを有する。
【手続補正４４】
【補正対象書類名】明細書
【補正対象項目名】００４７
【補正方法】変更
【補正の内容】
【００４７】
このように、カード束挿入口から挿入された前記複数枚のカードを揃えて束ねた状態で保持するため、カード束のままで読み取りが可能となり、カードの傷みや汚れを生じるおそれがなく、読み取り時間が短くて済む。
請求項２１に記載の発明は、請求項２０記載のコード読み取り装置において、
前記カード保持機構は、前記カード束のコードを設けた側面に対向して配置される撮影部に対し、外来光を遮断するよう配置される。
このように、外来光を遮断することにより、外来光がコードの読み取りに影響を与えることを防止できる。
【手続補正４５】
【補正対象書類名】明細書
【補正対象項目名】００４８
【補正方法】変更
【補正の内容】
【００４８】
請求項２２に記載の発明は、請求項２０または２１記載のコード読み取り装置は、さらに、前記カード保持機構に装着され、前記カード束を収納するカードケースを有し、
該カードケースは、収納された前記カード束の前記コードが設けられた部分が接触しないように設けられる溝部と、前記カード束の前記コードが設けられた部分に対応する位置に設けられた窓のうち、少なくとも一方を有する。
【手続補正４６】
【補正対象書類名】明細書
【補正対象項目名】００４９
【補正方法】変更
【補正の内容】
【００４９】
このように、溝部によってコード部分がケースに接触しないため、コード部分の損傷や汚れを防止でき、また、コード部分に対応する位置に窓を有するため、カードケースごとカード保持機構に装着して、カード束のコードを読み取ることができる。
【手続補正４７】
【補正対象書類名】明細書
【補正対象項目名】００５０
【補正方法】変更
【補正の内容】
【００５０】
請求項２３に記載の発明は、請求項２０または２１記載のコード読み取り装置は、さらに、前記カード保持機構に装着され、前記カード束を収納するカードケースを有し、
該カードケースは、収納されたカード束をカードの束ね方向に押圧するばね部材を有する。
【手続補正４８】
【補正対象書類名】明細書
【補正対象項目名】００５１
【補正方法】変更
【補正の内容】
【００５１】
このように、収納されたカード束をばね部材で押圧してカードの暴れを防止できる。
【手続補正４９】
【補正対象書類名】明細書
【補正対象項目名】００５２
【補正方法】変更
【補正の内容】
【００５２】
請求項２４に記載の発明は、請求項２０または２１記載のコード読み取り装置は、さらに、前記カード保持機構に装着され、前記カード束を収納するカードケースを有し、
該カードケースは、前記収納されたカード束をカードの束ね方向に押圧するばね部材を設けたケース本体部と、前記ケース本体部に収納されたカード束の外部に出ている部分を収納して前記ケース本体部に一体化する蓋部とを有する。
【手続補正５０】
【補正対象書類名】明細書
【補正対象項目名】００５３
【補正方法】変更
【補正の内容】
【００５３】
このように、ケース本体部に収納されたカード束の外部に出ている部分を蓋部に収納して前記ケース本体部に一体化するため、蓋部を外してケース本体部ごとカード保持機構に装着して、カード束のコードを読み取ることができる。
【手続補正５１】
【補正対象書類名】明細書
【補正対象項目名】００５４
【補正方法】変更
【補正の内容】
【００５４】
請求項２５に記載の発明は、請求項２０または２１記載のコード読み取り装置は、さらに、前記カード保持機構に装着され、前記カード束を収納するカードケースを有し、
該カードケースは、前記カード束の前記側面を平らに揃えるストッパを有する。
【手続補正５２】
【補正対象書類名】明細書
【補正対象項目名】００５５
【補正方法】変更
【補正の内容】
【００５５】
このように、カードケースはカードの側面を平らに揃えるストッパを有するため、カード束の側面の凹凸が無くなる。
【手続補正５３】
【補正対象書類名】明細書
【補正対象項目名】００５６
【補正方法】変更
【補正の内容】
【００５６】
請求項２６に記載の発明は、請求項１８または１９記載のコード読み取り装置において、
前記撮影部は、前記カード束側面に光を照射する手段と、前記カード束側面を撮影するイメージセンサ手段とを有する。
請求項２７に記載の発明は、請求項２６記載のコード読み取り装置において、
前記光照射手段の照射する光の光軸と、前記撮影部の光軸とを、一致させるダイクロイック・ミラーを有する。
このように、ダイクロイック・ミラーを用いることにより、光照射手段の照射する光の光軸と撮影部の光軸とを一致させることができ、カード束は４辺が多少不揃いで凹凸があっても凹凸により生じる影の影響を受けることなく、コードを精度良く読み取ることができる。
請求項２８に記載の発明は、請求項２６記載のコード読み取り装置において、
前記コードは可視光下において無色で、前記光照射手段から励起光が照射されたとき発光するインクで印刷されている。
このように、コードは可視光下で無色であるため、コードの見分けが難しくコードの偽造を防止することができる。
請求項２９に記載の発明は、請求項２８記載のコード読み取り装置において、
前記撮影部の前面に、励起光を遮断する第１フィルタと青色光を遮断する第２フィルタのうち少なくとも１つを設けた。
このように、励起光を遮断する第１フィルタを設けることにより、反射された励起光が撮影部に入射することを防止して、コードの輝度差が小さくなることを防止でき、青色光を遮断する第２フィルタを設けることにより、カードの材料である紙に蛍光物質が含まれる場合にこの蛍光物質が発光する青色光が撮影部に入射することを防止して、コードの輝度差が小さくなることを防止できる。
請求項３０に記載の発明は、請求項２６記載のカード束読み取り装置において、
前記コードは蓄光材料で記録されており、
前記光照射手段は、前記カード束の側面に閃光を照射する閃光照射手段を有しており、
閃光が照射されたとき前記蓄光材料で記録されたコードに蓄光させるように構成した。
このように、閃光を照射して前記蓄光材料で書き込まれたコードに蓄光させることにより、光源の消費電力を低減することができ、紫外線カットフィルタ等のフィルタが必要なくなり部品点数が減りコストを下げることができる。
請求項３１に記載の発明は、請求項３０記載のコード読み取り装置において、
前記撮影部は、前記カード束の側面に閃光を照射した後、時間差を付けて複数回の撮影を行い、複数の画像を生成するよう構成し、
請求項３２に記載の発明では、請求項３１記載のカード束読み取り装置は、さらに、前記複数回の撮影による前記複数の画像を比較する画像比較手段を有する。
このように、時間差を付けて複数回の撮像を行った複数の画像を比較することにより、蓄光材料の蓄光時間に基づきコードの偽物判定を行うことができる。
【発明の実施の形態】
図１は本発明のカード束読み取り装置で読み取られるカード束の一実施例の斜視図を示す。カード束１０を形成する各カード１２の短辺側の側縁部１３，１４には、カード特定用の読み取りコード２０が印刷等で書き込まれて設けられている。なお、カード１２の短辺側に代えて、長辺側の側縁部に読み取りコード２０を設けても良い。
【手続補正５４】
【補正対象書類名】明細書
【補正対象項目名】０１９３
【補正方法】変更
【補正の内容】
【０１９３】
なお、イメージセンサ３８が請求項記載の撮影部に対応し、紫外光ランプ３６，６４が光照射手段に対応し、ストロボ２５４が閃光照射手段に対応し、ステップＳ９４が画像比較手段に対応する。
【発明の効果】
上述の如く、請求項１に記載の発明は、ゲーム装置はコード読み取り部を有し、カードにはゲーム用データが記録されたコードが設けられているため、ゲーム装置でカードのゲーム用データを読み取ることができる。
【手続補正５５】
【補正対象書類名】明細書
【補正対象項目名】０１９４
【補正方法】変更
【補正の内容】
【０１９４】
請求項２に記載の発明は、コードは、照射された光を受光したとき発光する材料で印刷されているため、照明を行う期間と撮像を行う期間とが重ならないようにすることができる。
【手続補正５６】
【補正対象書類名】明細書
【補正対象項目名】０１９５
【補正方法】削除
【補正の内容】
【手続補正５７】
【補正対象書類名】明細書
【補正対象項目名】０１９６
【補正方法】変更
【補正の内容】
【０１９６】
請求項４に記載の発明では、１枚のカードの２側面に互いに異なるコードを設けることにより、１枚のカードに複数の機能を持たせることが可能となる。
【手続補正５８】
【補正対象書類名】明細書
【補正対象項目名】０１９７
【補正方法】変更
【補正の内容】
【０１９７】
請求項５に記載の発明では、コードは、短辺側または長辺側の両側面に記録されていることにより、カードの向きによらずコードを認識することができる。
【手続補正５９】
【補正対象書類名】明細書
【補正対象項目名】０１９８
【補正方法】変更
【補正の内容】
【０１９８】
請求項６に記載の発明では、コードは、表向きに束ねられたときと裏向きに束ねられたときとで異なるコードとして読み取られるように設けられているため、コード読み取り部によってカードが表向きであるか、裏向きであるかが検出可能となる。
【手続補正６０】
【補正対象書類名】明細書
【補正対象項目名】０１９９
【補正方法】変更
【補正の内容】
【０１９９】
請求項７に記載の発明では、カードの種類に応じて符号化のデータピッチが異なるため、カードの種類に応じて符号化のデータピッチが異なるため、特定のカードのコードの偽造を防止できる。
【手続補正６１】
【補正対象書類名】明細書
【補正対象項目名】０２００
【補正方法】変更
【補正の内容】
【０２００】
請求項８に記載の発明では、コードは蓄光材料で記録されているため、照明を行う期間と撮像を行う期間とが重ならないようにすることができる。
【手続補正６２】
【補正対象書類名】明細書
【補正対象項目名】０２０１
【補正方法】変更
【補正の内容】
【０２０１】
請求項９に記載の発明では、データビットは左右の領域の輝度の差で２値を表すため、誤認識を行う確率を低減でき、また、表裏判定ビットの左右の領域の輝度の差でカードの表裏を判定することができる。
【手続補正６３】
【補正対象書類名】明細書
【補正対象項目名】０２０２
【補正方法】変更
【補正の内容】
【０２０２】
請求項１０に記載の発明は、データビット、表裏判定ビット、端部ビットそれぞれを互いに同一の所定幅で構成することにより、読み取り時に各ビットの幅を補正して正確な読み取りを行うことができる。
【手続補正６４】
【補正対象書類名】明細書
【補正対象項目名】０２０３
【補正方法】変更
【補正の内容】
【０２０３】
請求項１１に記載の発明は、コードが記録されている側面に接する表面と裏面の少なくとも一方の周縁部分に特定色が印刷されているため、特定色が重ねられたカードを分離する境界層となり、読み取りの際のカード間の分離が向上する。
【手続補正６５】
【補正対象書類名】明細書
【補正対象項目名】０２０４
【補正方法】削除
【補正の内容】
【手続補正６６】
【補正対象書類名】明細書
【補正対象項目名】０２０５
【補正方法】変更
【補正の内容】
【０２０５】
請求項１３に記載の発明では、コードは、可視光下で無色であるため、コードの見分けが難しく、コードの偽造を防止することができる。
【手続補正６７】
【補正対象書類名】明細書
【補正対象項目名】０２０６
【補正方法】変更
【補正の内容】
【０２０６】
請求項１４に記載の発明は、異なる色で発光する複数の蛍光材料を用いることにより、コードを構成する各ビットを多値化することができる。
【手続補正６８】
【補正対象書類名】明細書
【補正対象項目名】０２０７
【補正方法】変更
【補正の内容】
【０２０７】
請求項１５に記載の発明では、コードは光の照射により赤外光を放射するため、コードの見分けが難しく、コードの偽造を防止することができる。
【手続補正６９】
【補正対象書類名】明細書
【補正対象項目名】０２０８
【補正方法】変更
【補正の内容】
【０２０８】
請求項１６に記載の発明では、コードは光の照射により青色より長い波長で発光するため、第１，第２フィルタを用いて反射励起光や青色光の影響を受けないようにすることができる。
【手続補正７０】
【補正対象書類名】明細書
【補正対象項目名】０２０９
【補正方法】変更
【補正の内容】
【０２０９】
請求項１７に記載の発明では、コードはガイドビットを含むため、カード毎にコードの位置決めを行うことができる。
【手続補正７１】
【補正対象書類名】明細書
【補正対象項目名】０２１０
【補正方法】変更
【補正の内容】
【０２１０】
請求項１８に記載の発明はカードのそれぞれの側面にはコードが設けられ、これを撮影した画像からカード毎のコードを認識するため、カード束のままで読み取りが可能となる。
【手続補正７２】
【補正対象書類名】明細書
【補正対象項目名】０２１１
【補正方法】変更
【補正の内容】
【０２１１】
請求項１９に記載の発明は、カード束側面の画像からカード厚さに対応するパターンを順次切り出すことにより、カード毎のコードを認識することが可能となる。
【手続補正７３】
【補正対象書類名】明細書
【補正対象項目名】０２１２
【補正方法】変更
【補正の内容】
【０２１２】
請求項２０に記載の発明は、カード束挿入口から挿入された前記複数枚のカードを揃えて束ねた状態で保持するため、カード束のままで読み取りが可能となり、カードの傷みや汚れを生じるおそれがなく、読み取り時間が短くて済む。
請求項２１に記載の発明は、外来光を遮断することにより、外来光がコードの読み取りに影響を与えることを防止できる。
【手続補正７４】
【補正対象書類名】明細書
【補正対象項目名】０２１３
【補正方法】変更
【補正の内容】
【０２１３】
請求項２２に記載の発明では、溝部によってコード部分がケースに接触しないため、コード部分の損傷や汚れを防止でき、また、コード部分に対応する位置に窓を有するため、カードケースごとカード保持機構に装着して、カード束のコードを読み取ることができる。
【手続補正７５】
【補正対象書類名】明細書
【補正対象項目名】０２１４
【補正方法】変更
【補正の内容】
【０２１４】
請求項２３に記載の発明は、収納されたカード束をばね部材で押圧してカードの暴れを防止できる。
【手続補正７６】
【補正対象書類名】明細書
【補正対象項目名】０２１５
【補正方法】変更
【補正の内容】
【０２１５】
請求項２４に記載の発明では、ケース本体部に収納されたカード束の外部に出ている部分を蓋部に収納して前記ケース本体部に一体化するため、蓋部を外してケース本体部ごとカード保持機構に装着して、カード束のコードを読み取ることができる。
【手続補正７７】
【補正対象書類名】明細書
【補正対象項目名】０２１６
【補正方法】変更
【補正の内容】
【０２１６】
請求項２５に記載の発明は、カードケースはカードの側面を平らに揃えるストッパを有するため、カード束の側面の凹凸が無くなる。
請求項２７に記載の発明は、ダイクロイック・ミラーを用いることにより、光照射手段の照射する光の光軸と撮影部の光軸とを一致させることができ、カード束は４辺が多少不揃いで凹凸があっても凹凸により生じる影の影響を受けることなく、コードを精度良く読み取ることができる。
請求項２８に記載の発明では、コードは可視光下で無色であるため、コードの見分けが難しくコードの偽造を防止することができる。
請求項２９に記載の発明は、励起光を遮断する第１フィルタを設けることにより、反射された励起光が撮影部に入射することを防止して、コードの輝度差が小さくなることを防止でき、青色光を遮断する第２フィルタを設けることにより、カードの材料である紙に蛍光物質が含まれる場合にこの蛍光物質が発光する青色光が撮影部に入射することを防止して、コードの輝度差が小さくなることを防止できる。
請求項３０に記載の発明は、閃光を照射して前記蓄光材料で書き込まれたコードに蓄光させることにより、光源の消費電力を低減することができ、紫外線カットフィルタ等のフィルタが必要なくなり部品点数が減りコストを下げることができる。
請求項３１，３２に記載の発明は、時間差を付けて複数回の撮像を行った複数の画像を比較することにより、蓄光材料の蓄光時間に基づきコードの偽物判定を行うことができる。
【手続補正７８】
【補正対象書類名】明細書
【補正対象項目名】図面の簡単な説明
【補正方法】変更
【補正の内容】
【図面の簡単な説明】
【図１】
本発明のコード読み取り装置で読み取られるカード束の一実施例の斜視図である。
【図２】
読み取りコード２０の第１実施例のフォーマットを示す図である。
【図３】
本発明のコード読み取り装置へのカード束の装着を説明するための図である。
【図４】
本発明のコード読み取り装置の第１実施例の断面構成図である。
【図５】
画像認識装置４０が実行する認識処理の一実施例のフローチャートである。
【図６】
本発明のコード読み取り装置で読み取られるカード束の他の実施例の斜視図である。
【図７】
本発明のカード製造方法の第１実施例を説明するための図である。
【図８】
本発明のコード読み取り装置の第２実施例の断面構成図である。
【図９】
本発明のコード読み取り装置の第３実施例の断面構成図である。
【図１０】
本発明のカード１２の平面図である。
【図１１】
カード保持機構の第１実施例の正面断面図、右側面図である。
【図１２】
本発明のコード読み取り装置の一実施例のブロック構成図である。
【図１３】
本発明のコード読み取り装置に適用されるカード保持機構の第２実施例の正面断面図、左側面図、平面図である。
【図１４】
本発明のカードを収納するカードケースの第１実施例の正面断面図、左側面断面図である。
【図１５】
本発明のカードを収納するカードケースの第２実施例の斜視図である。
【図１６】
本発明のカードを収納するカードケースの第３実施例の正面断面図、そのケース本体部１１０の正面断面図、平面図である。
【図１７】
本発明のカード製造方法の第２実施例を説明するための平面図、断面図、拡大断面図である。
【図１８】
本発明のカード製造方法の第３実施例を説明するための印刷前の平面図、印刷後の平面図、側面図である。
【図１９】
本発明のカード製造方法の第４実施例を説明するための側面図、側断面図である。
【図２０】
本発明のカード製造方法の第４実施例の変形例のシステム構成図である。
【図２１】
本発明のカード製造方法の第４実施例を説明するための図である。
【図２２】
本発明のカード製造方法の第６実施例を説明するための斜視図、側面図である。
【図２３】
本発明のカード製造方法の第６実施例の変形例を説明するための斜視図である。
【図２４】
蓄光インクで印刷された読み取りコード２０を読み取る際の、カード束読み取り装置が実行する認識処理の一実施例のフローチャートである。
【図２５】
コード読み取り装置を適用したネットワークシステムの一実施例のブロック図である。
【図２６】
読み取りコード２０のピッチを説明するための図である。
【図２７】
カード１２の読み取りコード２０の読み取りとモニタ表示との関係を説明するための図である。
【図２８】
カード１２の読み取りコード２０の読み取りとモニタ表示との関係を説明するための図である。
【図２９】
カード１２の読み取りコード２０の読み取りとモニタ表示との関係を説明するための図である。
【図３０】
ゲーム装置１７０のＣＰＵ１７１が実行する広告表示処理のフローチャートである。
【図３１】
書き換え可能な記録媒体２００を設けたゲーム装置の一実施例のブロック図である。
【図３２】
本発明のカード製造方法の第７実施例を説明するための斜視図である。
【図３３】
ローラによる印刷を行うとき使用するカードケースの第４実施例の平面図、平面断面図、側面図である。
【図３４】
本発明のカード製造方法の第７実施例を説明するための斜視図である。
【図３５】
回転ステージ２３６の動作を説明するための平面図である。
【図３６】
本発明のカード製造方法の第７実施例の変形例を説明するための斜視図である。
【図３７】
本発明のコード読み取り装置の第４実施例の断面構成図である。
【図３８】
画像認識装置２５６が実行する読み取り処理の第１実施例のフローチャートである。
【図３９】
画像認識装置２５６が実行する読み取り処理の第２実施例のフローチャートである。
【図４０】
読み取りコード２０の第２実施例のフォーマットである。
【図４１】
読み取りコード２０のパターンの一例とその輝度値及び微分値の絶対値を示す図である。
【図４２】
カード束の読み取りコード認識処理の一実施例のフローチャートである。
【図４３】
ノイズカットフィルタ処理で選択した３ドットの一例を示す図である。
【図４４】
ノイズカットフィルタ処理で更新した３ドットの一例を示す図である。
【図４５】
球面補正フィルタ処理を説明するための図である。
【図４６】
球面補正フィルタ処理を説明するための図である。
【図４７】
球面補正フィルタ処理を説明するための図である。
【図４８】
傾き補正フィルタ処理を説明するための図である。
【図４９】
傾き補正フィルタ処理を説明するための図である。
【図５０】
傾き補正フィルタ処理のフローチャートである。
【図５１】
カード区切り処理のフローチャートである。
【図５２】
カード区切り処理のフローチャートである。
【図５３】
カード区切り処理を説明するための図である。
【図５４】
ｘ座標算出処理のフローチャートである。
【図５５】
ｘ座標算出処理を説明するための図である。
【図５６】
ビット判定処理を説明するための図である。
【符号の説明】
３０  カード束読み取り装置
３２  挿入口
３４  筐体
３６，６４  励起光ランプ
３７  光学フィルタ
３８  イメージセンサ
４０  画像認識装置
６０  イメージセンサ
６２  ダイクロイック・ミラー
１４０  インクジェットプリンタ
１４４  コンピュータ
１６０  カード束読み取り装置
１７０  ゲーム装置
１７１  ＣＰＵ
１７２  プログラムメモリ（ＲＯＭ）
１７３  データメモリ（ＲＡＭやフラッシュＲＡＭ）
１７４  インタフェース
１７５  ディスプレイ回路部
１７６  サウンド回路部
１７７  通信インタフェース
１７８  入力装置
１７９  モニタ
１８０  スピーカ
１８５  ネットワーク
１９０  サーバ
１９５  他のゲーム装置